(57)【要約】【課題】設計概念の違う累進レンズの特徴を目視で簡単に認識させることのできる眼鏡レンズの展示サンプルセットを提供する。【解決手段】両面累進屈折力レンズよりなる正規サンプルレンズＡと、正規サンプルレンズＡを肉厚方向の中間に位置する分割面２３で前面２１側と後面２２側に２分割した場合の各レンズ形状と略同等のレンズ形状を有する前面側の補助サンプルレンズＣ及び後面側の補助サンプルレンズＢとの組み合わせよりなり、前面側の補助サンプルレンズＣの前面２１Ｃのレンズカーブと正規サンプルレンズＡの前面２１のレンズカーブとが同等、後面側の補助サンプルレンズＢの後面２２Ｂのレンズカーブと正規サンプルレンズＡの後面２２のレンズカーブとが同等、前面側の補助サンプルレンズＣの後面２２Ｃのレンズカーブと後面側の補助サンプルレンズＢの前面２１Ｂのレンズカーブが同等、の全条件を満たす。【選択図】      図５
2004333588.tif 000002
【特許請求の範囲】
【請求項１】
正規サンプルとしての眼鏡レンズと、該正規サンプルの眼鏡レンズを肉厚方向の中間のいずれかに位置する分割面で前面側と後面側に２分割した場合の各レンズ形状と略同等のレンズ形状を有する前面側の補助サンプル及び後面側の補助サンプルとの組み合わせよりなり、
前記前面側の補助サンプルの前面のレンズカーブと前記正規サンプルの前面のレンズカーブとが同等、前記後面側の補助サンプルの後面のレンズカーブと前記正規サンプルの後面のレンズカーブとが同等、前記前面側の補助サンプルの後面のレンズカーブと前記後面側の補助サンプルの前面のレンズカーブが同等、の全条件を満たしていることを特徴とする眼鏡レンズの展示サンプルセット。
【請求項２】
請求項１に記載の眼鏡レンズの展示サンプルセットであって、
前記正規サンプルとしての眼鏡レンズが、前面と後面とにそれぞれ異なる性質の累進要素を持つ面を形成してこれら両面を組み合わせて累進性能を作り出す両面複合累進屈折力レンズ、または、前面または後面の少なくとも一方のレンズ面に累進面を有する累進屈折力レンズよりなり、前記前面側の補助サンプルの前面または前記後面側の補助サンプルの後面のいずれか一方又は双方に、前記正規サンプルの眼鏡レンズの累進面要素または累進面と同等の累進面要素または累進面が形成されていることを特徴とする眼鏡レンズの展示サンプルセット。
【請求項３】
請求項１又は２に記載の眼鏡レンズの展示サンプルセットであって、
前記分割面が、正規サンプルの眼鏡レンズの度数測定位置における前面レンズカーブおよび後面レンズカーブの平均的なカーブ値を有する曲面として形成されていることを特徴とする眼鏡レンズの展示サンプルセット。
【請求項４】
請求項１ないし３のいずれかに記載の眼鏡レンズの展示サンプルセットであって、
前記分割面が、該分割面における表面屈折力が各部で一定となる曲率半径の球面として設定されており、それにより、前記前面側の補助サンプルの後面のレンズカーブと前記後面側の補助サンプルの前面のレンズカーブとが共に、前記分割面の曲率半径と同一の曲率半径を有する球面として形成されていることを特徴とする眼鏡レンズの展示サンプルセット。
【請求項５】
請求項４に記載の眼鏡レンズの展示サンプルセットであって、
前記球面よりなる分割面の曲率半径として、前記正規サンプルの眼鏡レンズの前面と後面の両方の面全体の平均的な曲率半径が選択されていることを特徴とする眼鏡レンズの展示サンプルセット。
【請求項６】
請求項１〜５記載のいずれかに記載の眼鏡レンズの展示サンプルセットであって、
前記分割面を合わせ面として前面側の補助サンプル及び後面側の補助サンプルを重ね合わせた組み合わせによる展示サンプルが、正規サンプルと同等の屈折力を有することを表示するために、重ねあわせの基準位置を前面側の補助サンプル及び後面側の補助サンプルに有する事を特徴とする眼鏡レンズの展示サンプルセット。
【請求項７】
請求項１〜６のいずれかに記載の眼鏡レンズの展示サンプルセットを展示するための眼鏡レンズサンプル展示装置であって、
１枚の展示板上に、前記正規サンプル、前面側の補助サンプル、後面側の補助サンプルの３枚のレンズをそれぞれ前後方向に透視できるように並べて配置し、各レンズに対応する前記展示板上の余白位置に各レンズに関しての説明を表記した説明表記部を設けたことを特徴とする眼鏡レンズサンプル展示装置。
【発明の詳細な説明】
【０００１】
【発明の属する技術分野】
本発明は、眼鏡レンズの展示サンプルのセットに係り、特に、前面（眼球側と反対側の面、外面、または凸面とも言われる）及び後面（眼球側の面、内面、または凹面とも言われる）の少なくとも一方のレンズ面に累進屈折面を有する累進屈折力レンズの設計概念の認識を助けるために有効な眼鏡レンズの展示サンプルセット及び眼鏡レンズサンプル展示装置に関する。
【０００２】
【従来の技術】
眼鏡店では、眼鏡レンズを購入する顧客に対して、その機能や性能あるいは設計概念等を理解するための情報をカタログやサンプル等の形で提供している。特にサンプルレンズの提示は、顧客にとって直に外観や透過像などを確認することができるため、一般的によく行われている方法である。例えば、サンプルレンズを通して格子模様や新聞の文字などを見ることにより、透過像の見え方の違いを実際に確認することができるため、特に、累進屈折力レンズを購入する顧客にとっては、極めて有力な情報提供の方法であると言える。
【０００３】
また、他の情報提示の方法として、レンズ全面の透過収差をグラフィックによって表示する方法（例えば、特許文献１参照）、レンズの設計データからシミュレートした透過屈折力の収差図等を表示する方法（例えば、特許文献２、３参照）、レンズの前面（凸面）または後面（凹面）の設計値や測定値によって、設計概念を、表面平均屈折力分布、表面円柱屈折力分布及びその方向、表面プリズム屈折分布及びその方向、などの各要素毎に資料として表示し、口頭にて説明する方法（特許文献４、５参照）などがある。
【０００４】
【特許文献１】
特願２００２−１４１１５９号公報
【特許文献２】
特開平９−９０２９５号公報
【特許文献３】
特開平８−２１５１４９号公報
【特許文献４】
特開２０００−１８６９７８号公報
【特許文献５】
特開２０００−９５８６号公報
【０００５】
【発明が解決しようとする課題】
ところで、眼鏡用の累進屈折力レンズとして提供されているレンズの種類としては、
（ａ）レンズ前面に累進面を持つ外面累進レンズ
（ｂ）レンズ後面に累進面を持つ内面累進レンズ
（ｃ）前面と後面とにそれぞれ異なる性質の累進要素を持つ面を形成してこれら両面を組み合わせて累進性能を作り出す両面複合累進屈折力レンズ、
がある。（ａ）は従来からあるもの、（ｂ）は近年開発されたもの、（ｃ）は最新の開発製品である。
【０００６】
これらのレンズの違いは、設計概念の根本的な違いに基づくものであるが、１枚のサンプルレンズを提示するだけでは、その設計概念の違いまでを理解させることは困難であった。例えば、前面側に累進面があるのか、後面側に累進面があるのか、それとも両面に累進要素面があって両面の組み合わせで所定の累進屈折力を得るものなのか、といった設計上の違いを、１枚の現物サンプルレンズの提示だけで認識させることは困難であった。
【０００７】
それは、眼鏡レンズは前面の面屈折力と後面の面屈折力の組み合わせでレンズ屈折力を得るものであり、レンズを使用する際は必然的に前面と後面が一体不分離の状態で透過像等を確認し、前面と後面の個々の設計について独立に認識することができなかったからである。
【０００８】
この点は、前述の各特許公報に示される技術もほぼ同様であった。即ち、レンズ全面の透過収差をグラフィックによって表示する方法、あるいは、レンズの設計データからシミュレートした透過屈折力の収差図を表示する方法は、いずれもレンズの前面と後面の組み合わせによる屈折性能を提示するに留まり、眼鏡レンズの前面と後面の設計概念を個々に分離して確認させることまではできない。
【０００９】
また、レンズの前面（凸面）または後面（凹面）の設計値や測定値によって、設計概念を、表面平均屈折力分布、表面円柱屈折力分布及びその方向、表面プリズム屈折分布及びその方向、などの各要素毎に資料として表示し、口頭にて説明する方法は、開発現場など一部の専門家の間で行われる場合は有効な方法であるかもしれないが、一般の顧客に対する情報提示としては専門的に過ぎる上、見た目で簡単に違いを認識できないという基本的な問題があった。
【００１０】
本発明は、上記事情を考慮し、設計概念の違う累進レンズの特徴を、小売店や一般の顧客に対し、目視で簡単に認識させることのできる眼鏡レンズの展示サンプルセット及びその展示装置を提供することを目的とする。
【００１１】
【課題を解決するための手段】
第１の手段にかかる眼鏡レンズの展示サンプルセットは、
正規サンプルとしての眼鏡レンズと、該正規サンプルの眼鏡レンズを肉厚方向の中間のいずれかに位置する分割面で前面側と後面側に２分割した場合の各レンズ形状と略同等のレンズ形状を有する前面側の補助サンプル及び後面側の補助サンプルとの組み合わせよりなり、
前記前面側の補助サンプルの前面のレンズカーブと前記正規サンプルの前面のレンズカーブとが同等、前記後面側の補助サンプルの後面のレンズカーブと前記正規サンプルの後面のレンズカーブとが同等、前記前面側の補助サンプルの後面のレンズカーブと前記後面側の補助サンプルの前面のレンズカーブが同等、の全条件を満たしていることを特徴とする。
【００１２】
このように、正規サンプル、正規サンプルの厚さ方向の略前半分に相当する前面側の補助サンプル、正規サンプルの厚さ方向の略後半分に相当する後面側の補助サンプルの３枚のレンズをセットで用意することにより、眼鏡レンズの前面のレンズ効果、後面のレンズ効果、前面と後面の組み合わせによるレンズ効果を、それぞれ個別に互いに比較しながら理解することができる。従って、一般の顧客にとっても、見た目で簡単に眼鏡レンズの前面と後面の設計概念の違いを認識することができる。
【００１３】
第２の手段にかかる発明は、第１の手段にかかる発明おいて、
前記正規サンプルとしての眼鏡レンズが、前面と後面とにそれぞれ異なる性質の累進要素を持つ面を形成してこれら両面を組み合わせて累進性能を作り出す両面複合累進屈折力レンズ、または、前面または後面の少なくとも一方のレンズ面に累進面を有する累進屈折力レンズよりなり、前記前面側の補助サンプルの前面または前記後面側の補助サンプルの後面のいずれか一方又は双方に、前記正規サンプルの眼鏡レンズの累進面要素または累進面と同等の累進面要素または累進面が形成されていることを特徴とする。
【００１４】
このように眼鏡レンズが累進屈折力レンズである場合には、累進面によるレンズ効果を個別に確認することができる。特に両面累進レンズの場合は、レンズ前面側の累進要素によるレンズ効果と、レンズ後面側の累進要素によるレンズ効果と、前後両方の累進要素によるレンズ効果とを、それぞれ個別に互いに比較しながら理解することができるので、特に設計概念の特徴の把握に有効であると言える。
【００１５】
第３の手段にかかる発明は、第１の手段にかかる発明おいて、
第１又は第２の手段にかかる眼鏡レンズの展示サンプルセットであって、
前記分割面が、正規サンプルの眼鏡レンズの度数測定位置における前面レンズカーブおよび後面レンズカーブの平均的なカーブ値を有する曲面として形成されていることを特徴とする。
【００１６】
第４の手段にかかる発明は、第１〜第３のいずれかの手段にかかる眼鏡レンズの展示サンプルセットであって、
前記分割面が、該分割面における表面屈折力が各部で一定となる曲率半径の球面として設定されており、それにより、前記前面側の補助サンプルの後面のレンズカーブと前記後面側の補助サンプルの前面のレンズカーブとが共に、前記分割面の曲率半径と同一の曲率半径を有する球面として形成されていることを特徴とする。
【００１７】
第５の手段にかかる発明は、第４の手段にかかる眼鏡レンズの展示サンプルセットであって、
前記球面よりなる分割面の曲率半径として、前記正規サンプルの眼鏡レンズの前面と後面の両方の面全体の平均的な曲率半径が選択されていることを特徴とする。
第６の手段にかかる発明は、第１〜５のいずれかの手段にかかる眼鏡レンズの展示サンプルセットであって、
前記分割面を合わせ面として前面側の補助サンプル及び後面側の補助サンプルを重ね合わせた組み合わせによる展示サンプルが、正規サンプルと同等の屈折力を有することを表示するために、重ねあわせの基準位置を前面側の補助サンプル及び後面側の補助サンプルに有する事を特徴とする。
【００１８】
第７の手段にかかる発明は、第１〜６のいずれかの手段にかかる眼鏡レンズの展示サンプルセットを展示するための眼鏡レンズサンプル展示装置であって、
１枚の展示板上に、前記正規サンプル、前面側の補助サンプル、後面側の補助サンプルの３枚のレンズをそれぞれ前後方向に透視できるように並べて配置し、各レンズに対応する前記展示板上の余白位置に各レンズに関しての説明を表記した説明表記部を設けたことを特徴とする。
【００１９】
【発明の実施の形態】
以下、本発明の実施形態を図面に基づいて説明する。
眼鏡レンズは、レンズ前面とレンズ後面の屈折作用の組み合わせで総合的な屈折力を得るものであり、通常は、眼球側と反対側に位置する前面（外面）は凸面とされ、眼球側に位置する後面（内面）は凹面とされている。以下においては、主として「前面」と「後面」という用語を用いるが、「凸面」と「凹面」という用語を用いる場合もある。
【００２０】
図１は本発明の第１実施形態の眼鏡レンズ展示サンプルセットを展示している展示装置の斜視図、図２は正面図、図３は側面図、図４は平面図である。
展示装置１０は、１枚の矩形の展示板１１上に横一列に等間隔で３つの円形の透孔１２Ａ、１２Ｂ、１２Ｃを形成し、各透孔１２Ａ、１２Ｂ、１２Ｃにそれぞれ円形のサンプルレンズＡ、Ｂ、Ｃを装着して、展示板１１を脚部１３により垂直姿勢に立てたものである。ここで、展示板１１及び脚部１３は厚紙やプラスチック等で作られている。
【００２１】
展示板１１は、２枚の板を張り合わせて十分な強度を持たせたものであり、２枚の板の間にサンプルレンズＡ、Ｂ、Ｃの周縁部を挟むことで、透孔１２Ａ、１２Ｂ、１２Ｃの位置にサンプルレンズＡ、Ｂ、Ｃを保持している。従って、サンプルレンズＡ、Ｂ、Ｃを通して前側から後側を、また、後側から前側を透視できるようになっている。
【００２２】
また、展示板１１の上部余白には、各サンプルレンズＡ、Ｂ、Ｃの上側に位置させて各サンプルレンズＡ、Ｂ、Ｃに関する説明を表示した説明表記部１５Ａ、１５Ｂ、１５Ｃが設けられている。各説明表記部１５Ａ、１５Ｂ、１５Ｃには、
・「３  ＨＯＹＡＬＵＸ  ＩＤ（Ｓ：０．００  ＡＤＤ：２．００）」
・「２  凹面累進の要素を持った非球面」
・「１  凸面累進の要素を持った非球面」
との説明表記がなされている。
【００２３】
次に３枚のサンプルレンズＡ、Ｂ、Ｃについて、それらレンズの相互関係を示す図５を参照しながら説明する。なお、図５は光学中心を通り水平基準線に直交する直線に沿うレンズ断面図である。
【００２４】
サンプルレンズＡは、実際に眼鏡用に使用される正規サンプルとしての眼鏡レンズであり、ここでは、前面（凸面）２１と後面（凹面）２２の両面に累進面（累進要素）を有する両面累進屈折力レンズが使用されている。即ち、サンプルレンズＡは、前面２１及び後面２２の両面が共に累進要素をもつ非球面で構成されており、両面２１、２２の累進要素の組み合わせで累進屈折力を得る両面累進屈折力レンズにより構成されている。
【００２５】
正規サンプルレンズＡは、図６に正面図を示すように、遠用部３３と近用部３４とを有し、遠用部３３から近用部３４への変化を累進屈折面で構成したものである。３５は設計中心、３６は水平基準線、３１ａ，３１ｂはアライメント基準マーク、３２ａ，３２ｂは刻印マークである。なお、図６において、符号３７は、サンプルレンズＢ、Ｃに設けられるターゲットマークを仮に示したものである。すなわち、後述するサンプルレンズＢ、Ｃには、サンプルレンズＢ、Ｃを重ねて仮想的にサンプルレンズＡと同じレンズにする場合、その重ね位置の基準位置を示すマークであるターゲットマーク３７が水平基準線３６上におけるレンズ外周部ならびに垂直基準線上のレンズ上部にそれぞれ設けられる。
【００２６】
ここで、正規サンプルレンズＡの光学性能は次のような設定になっている。
【００２７】
2004333588.tif 000003
【００２８】
図５に戻って、サンプルレンズＣ及びサンプルレンズＢは、正規サンプルの眼鏡レンズ（サンプルレンズＡ）を肉厚方向の中間に位置する分割面２３で前面側と後面側に２分割した場合の各レンズ形状と略同等のレンズ形状を有する前面側の補助サンプル及び後面側の補助サンプルの比較用レンズである。
【００２９】
前面側の補助サンプルレンズＣの前面２１Ｃのレンズカーブは、正規サンプルレンズＡの前面２１のレンズカーブと同一に設定されている。また、後面側の補助サンプルレンズＢの後面２２Ｂのレンズカーブは、正規サンプルレンズＡの後面２２のレンズカーブと同一に設定されている。従って、前面側の補助サンプルレンズＣの前面２１Ｃと、後面側の補助サンプルレンズＢの後面２２Ｂには、正規サンプルレンズＡの前面２１及び後面２２の累進面と同等の累進面（累進要素）が形成されている。
【００３０】
また、正規サンプルレンズＡを前面側と後面側に仮想的に分割する分割面２３は、該分割面２３における表面屈折力が各部で一定となる曲率半径の球面として設定されている。その曲率半径としては、正規サンプルレンズＡの前面２１と後面２２の両方の面全体の平均的な曲率半径が選択されている。このように仮想的な分割面２３が球面形状に設定されていることにより、前面側の補助サンプルレンズＣの後面２２Ｃのレンズカーブと、後面側の補助サンプルレンズＢの前面２１Ｂのレンズカーブとが共に、分割面２３の曲率半径と同一の曲率半径を有する球面として形成されている。
【００３１】
曲率半径とは、レンズ各部を微少領域に分割し、その微小領域上の点に最も近似できる球面の半径のことである。レンズ全面と最も近い曲率半径を算出して近似するためには、最小自乗法などにより凹凸全面の任意の点を単一の曲率半径と比較し、その各点における乖離量の２乗の和またはその平方根である標準偏差を算出し、乖離量の２乗の和または標準偏差が最小になるような平均曲率半径を選定する。平均曲率半径とは、微小領域ではなく、レンズ全面の任意の点に対して前記標準偏差が最小になるような曲率半径のことである。
【００３２】
次に、後面側の補助サンプルレンズＢの前面（凸面）２１Ｂ、及び、前面側の補助サンプルレンズＣの後面（凹面）２２Ｃを球面形状とすることの理由について簡単に説明する。
【００３３】
前述の球面とは曲率半径が一定であることを示している。曲率半径Ｒ（ｍｍ）と表面屈折力Ｄは、素材屈折率をＮｅとすると次式で与えられる。
【００３４】
Ｄ＝｛（Ｎｅ−１）×１０００｝／Ｒ
【００３５】
上式により、表面屈折力Ｄは、素材屈折率Ｎｅと曲率半径Ｒに依存しており、互いに線形独立であることがわかる。従って、曲率半径Ｒ及び素材屈折率Ｎｅが一定であるならば、表面屈折力Ｄは一定となる。
【００３６】
まず、後面側の補助サンプルレンズＢについて検討してみる。
凸面（前面２１Ｂ）が球面であり凸面（前面２１Ｂ）側の曲率半径が一定の場合は、凸面（前面２１Ｂ）側の表面屈折力Ｄが凸面（前面２１Ｂ）の任意の位置で一定値となる。つまり、中心部や周辺部、それらの中間部分のすべての点で、透過度数に与える凸面（前面２１Ｂ）側表面屈折力が一定となる。従って、凸面凹面の透過度数は、そのまま凹面（後面２２Ｂ）側の表面屈折力の中心から周辺への変化量を表わすことになり、その結果、補助サンプルレンズＢを透過する透過光を目視することで、補助サンプルレンズＢの後面（凹面）２２Ｂ側のみの設計概念を直接確認することが可能となる。
【００３７】
同様に、前面側の補助サンプルレンズＣについて検討してみる。
凹面（後面２２Ｃ）が球面であり凹面（後面２２Ｃ）側の曲率半径が一定の場合は、凹面（後面２２Ｃ）側の表面屈折力Ｄが凹面（後面２２Ｃ）の任意の位置で一定値となる。つまり、中心部や周辺部、それらの中間部分のすべての点で、透過度数に与える凹面（後面２２Ｃ）側表面屈折力が一定となる。従って、凸面凹面の透過度数は、そのまま凸面（前面２１Ｃ）側の表面屈折力の中心から周辺への変化量を表わすことになり、その結果、補助サンプルレンズＣを透過する透過光を目視することで、補助サンプルレンズＣの前面（凸面）２１Ｃ側のみの設計概念を直接確認することが可能となる。
【００３８】
なお、後面側の補助サンプルレンズＢの肉厚及び前面側の補助サンプルレンズＣの肉厚は共に、正規サンプルレンズＡの肉厚の略半分とされ、外径は７５ｍｍφ、材質は屈折率１．７を有するプラスチックとされている。
【００３９】
上記の展示装置１０においては、このような構成のサンプルレンズＡ、Ｂ、Ｃが展示板１１の透孔１２Ａ、１２Ｂ、１２Ｃに装着され、各サンプルレンズＡ、Ｂ、Ｃの上にその説明表記がなされている。
【００４０】
従って、例えば、サンプルレンズＣについては、『凸面に累進要素を持つ非球面』の表示により、眼鏡レンズの前面（凸面）側のみの設計概念を知ることができる。また、サンプルレンズＢについては、『凹面に累進要素を持つ非球面』の表示により、眼鏡レンズの後面（凹面）側のみの設計概念を知ることができる。また、これらのサンプルレンズＢ、Ｃと比較することで、両面に累進要素を持つ正規サンプルレンズＡについては、『両面に累進要素を持つサンプルレンズ』の表示と併せて、前面と後面の累進要素の組み合わせによって所定の累進屈折力を得るものであることを確認することができる。
【００４１】
このような３種類のサンプルレンズＡ、Ｂ、Ｃをセットで使用する利点は、眼鏡レンズの前面のレンズ効果、後面のレンズ効果、前面と後面の組み合わせによるレンズ効果を、それぞれ個別に互いに比較しながら認識できることである。従って、一般の顧客にとっても、見た目で簡単に眼鏡レンズの前面と後面の設計概念の違いを認識することができる。特に、両面累進屈折力レンズの場合は、レンズ前面側の累進面によるレンズ効果と、レンズ後面側の累進面によるレンズ効果と、前後両面の累進面によるレンズ効果とを、それぞれ個別に互いに比較しながら理解することが可能となるので、設計概念の特徴の把握に有効である。
【００４２】
次にサンプルレンズＡ、Ｂ、Ｃの製造方法について説明する。
製造方法としては下記の方法が挙げられる。
（ａ）両面研磨方法
（ｂ）セミ品を使用した片面研磨方法
（ｃ）上下型の使用した「ＦＩＮＩＳＨ  ＣＡＳＴ」方法
（ｄ）金型を使用したインジェクション方法
【００４３】
ここでは、（ｂ）のセミ品を使用した片面研磨方法について説明する。
まず手順１として、設計データの計算をする。計算の手順として最初に、眼鏡レンズの凸面（前面）側の累進要素を持つ非球面を設計し、次に凹面側の累進要素を持つ非球面を設計し、遠用部屈折力がＳ０．００Ｄ、近用部屈折力が２．００Ｄとなるようにレンズの肉厚を決定する。次いで、共通の球面（図５の分割面２３）の平均曲率半径を、凹面と凸面の面全体の平均的な曲率半径として算出する。
【００４４】
次に手順２として、前記手順１で設計した形状に合う適切な「ブランクス」をピックアップする。ブランクスは、サンプルレンズの枚数分の３枚用意する。３枚のうちの２枚のブランクスは、サンプルレンズＡ、Ｃを作るためのもので、凸面側に、前記手順１にて設計された眼鏡レンズの凸面側の累進要素を有する非球面が形成されている。凹面側は特に形状が指定されていなくてよい。また、凸面には、レンズの設計面の基準位置となるアライメント基準位置３１ａ、３１ｂ（図６参照）が刻印されている。アライメント基準位置３１ａ、３１ｂは、すべての加工基準となる位置である。残り１枚のブランクスは、サンプルレンズＢを作るためのもので、十分な中心肉厚のあるブランクスであれば、特に凹凸面の形状は問わない。
【００４５】
次に手順３として、サンプルレンズＢを作るためのブランクスに、凸面側（前面側）の球面加工をする。加工の手順としては、まず、凸面側をカーブジェネレータにて研削または切削することにより、手順１の設計値にもとづく曲率半径を有する球面のレンズ面を創成し、次にその面を研磨することによって表面状態を整えて鏡面を得る。
【００４６】
次に手順４として、凹面の加工を全サンプルレンズＡ、Ｂ、Ｃに対して行う。まず、サンプルレンズＡを作るためのブランクスの凹面側に、手順１にて算出された設計値に基づいて、累進要素を有する非球面を加工する。加工の手順としては、まず、凹面側をカーブジェネレータにて研削または切削することにより、所定のレンズ面を創成し、次にその面を研磨することによって表面状態を整えて鏡面を得る。これにより、両面非球面累進レンズよりなる正規サンプルレンズＡを得る。
【００４７】
一方、サンプルレンズＢを作るためのブランクスの凹面にも、正規サンプルレンズＡと同様の凹面加工を実施することで、サンプルレンズＢを得る。さらに、サンプルレンズＣを作るためのブランクスの凹面に、前記手順１にて算出した平均曲率半径を有する球面を加工して、つまり、カーブジェネレータにて研削または切削することでレンズ面を創成し、続いてその面を研磨によって表面状態を整えて鏡面加工することで、サンプルレンズＣを得る。
【００４８】
次に手順５として、各サンプルレンズＡ、Ｂ、Ｃのエッジングを行う。エッジングには、カーブジェネレータを使用し、必要に応じて、丸、楕円、四角、多角形、フレーム枠入れ形状などに加工する。
【００４９】
以上のようにして作製したサンプルレンズＡ、Ｂ、Ｃを展示板１１の各透孔１２Ａ、１２Ｂ、１２Ｃに装着することにより、図１、図２に示す展示装置１０を得ることができる。
【００５０】
ところで、正規サンプルレンズＡの半分の肉厚で補助サンプルレンズＢ、Ｃを作製しようとすると、中心部分の肉厚が薄くなり過ぎて製造が難しくなる場合がある。例えば、前記実施形態では、正規サンプルレンズＡの中心部肉厚を３ｍｍとしているから、その半分の肉厚で補助サンプルレンズＢ、Ｃを製作しようとすると、補助サンプルレンズＢ、Ｃの中心部肉厚は１．５ｍｍ程度となる。この値は、製造する上で厳しい場合がある。
【００５１】
そこで、次に述べる本発明の第２の実施形態の展示サンプルセットでは、補助サンプルレンズＢ、Ｃの中心部肉厚を、正規サンプルレンズＡの肉厚の半分よりも大きく設定している。
【００５２】
一般的な両面屈折力レンズの場合、製造上の制約から、中心部肉厚は２ｍｍ程度以上に設定するのが望ましい。ここでは、全てのサンプルレンズＡ、Ｂ、Ｃにおいて、遠用度数測定位置の度数がＳ０．００Ｄになるように設定する。
【００５３】
そのため、後面側の補助サンプルレンズＢの前面（凸面）２１Ｂ、及び、前面側の補助サンプルレンズＣの後面（凹面）２２Ｃの球面形状に関しては、中心部の肉厚が２ｍｍで、遠用部の度数がＳ０．００Ｄとなる曲率半径を有する球面を選択する。そして、前面側の補助サンプルレンズＣについては、前面（凸面）２１Ｃ側の非球面要素（累進要素を有する非球面）と対になるように、その後面（凹面）２２Ｃの球面形状を、先に選択した曲率半径の球面として加工する。
【００５４】
同様に、後面側の補助サンプルレンズＢについては、後面（凹面）２２Ｂ側の非球面要素（累進要素を有する非球面）と対になるように、その前面（凸面）２１Ｂの球面形状を、先に選択した曲率半径の球面として加工する。
【００５５】
また、正規サンプルレンズＡとしては、前記補助サンプルレンズＢ、Ｃと比較できるような形状を選択し、遠用度数測定位置の度数がＳ０．００Ｄとなるものを選定する。加入度数は任意の度数で構わないが、平均的な度数として、本例では２．００Ｄを用いることとする。
【００５６】
ところで、前記第１実施形態の展示サンプルセットにおいては、補助サンプルレンズＢの前面２１Ｂと補助サンプルレンズＣの後面２２Ｃを重ねあわせると、正規サンプルレンズＡと同等のレンズとなるように、肉厚さを含めたレンズ形状を設定してあったが、説明のしやすさを考えてみると、必ずしもそうすることが必要条件ではないことが分かる。つまり、説明することを主として考えると、各サンプルレンズで遠用度数測定位置の度数がＳ０．００Ｄに設定されていることが重要であると言うことができる。
【００５７】
この点、前記第２実施形態の展示サンプルセットの場合は、補助サンプルレンズＢ、Ｃの肉厚を正規サンプルレンズＡの肉厚の半分に設定していないので、補助サンプルレンズＢの前面２１Ｂと補助サンプルレンズＣの後面２２Ｃを重ねあわせて正規サンプルレンズＡと同等になることを示そうとしても、肉厚が一致しないことになる。しかし、実際には目で見てどのような性質の面であるかを確認することが主たる目的であるため、肉厚の違いは、見え方に変化が出ない限りあまり問題とはならない。
【００５８】
因みに、レンズの肉厚の違いによる屈折力への影響について評価してみる。
例えば、中心肉厚が２．００ｍｍ（例１）と４．００ｍｍ（例２）について比較すると、凹凸両面のカーブが同一の形状を有し、素材屈折率が同一であるレンズの場合、屈折力に与える影響は小さく、０．０２Ｄ（次表参照）程度となる。また、その影響の及ぶ範囲も、レンズ全面に均等に前記度数０．０２Ｄシフトすることになるため、設計概念を見るための中心部から周辺部への屈折力変化量に与える影響は全くないと見なせる。従って、肉厚が多少増えても見え方に問題はない。
【００５９】
2004333588.tif 000004
【００６０】
次に、サンプルレンズＡ，Ｂ，Ｃの実例として各形状の例を以下に示す。なお、カーブ数値は屈折率１．６９９換算である。補助サンプルＢ、Ｃの分割面球面カーブ選定方法は両面複合累進屈折力レンズ（正規サンプルＡ）の前面側累進要素面における度数測定位置のカーブ（４．９７Ｄ）と後面側累進要素面における度数測定位置のカーブ（５．０６Ｄ）との平均値（５．０２Ｄ）とする。補助サンプルＢ、Ｃの肉厚の選定方法は、両面複合累進屈折力レンズ（正規サンプルＡ）の中心肉厚（６ｍｍ）の半分（３ｍｍ）とする。
2004333588.tif 000005
【００６１】
Ｂ）  後面側補助サンプルＢ
Ｂ．１  凸面側形状：正規サンプルＡ度数測定位置の凸面側カーブと凹面側カーブの平均値（５．０２Ｄ）をカーブ値とする球面
Ｂ．２  凹面側形状：両面複合累進屈折力レンズの凹面側累進要素面
Ｂ．３  凸面側球面のカーブ値：５．０２Ｄ
Ｂ．４  凹面側遠用部分のカーブ値：５．０６Ｄ
Ｂ．５  中心肉厚：３ｍｍ
【００６２】
Ｃ）  前面側補助サンプルＣ
Ｃ．１  凸面側形状：両面複合累進屈折力レンズの凸面側累進要素面
Ｃ．２  凹面側形状：正規サンプルＡ度数測定位置の凹面側カーブと凹面側カーブの平均値（５．０２Ｄ）をカーブ値とする球面
Ｃ．３  凸面側遠用部分のカーブ値：４．９７Ｄ
Ｃ．４  凹面側球面のカーブ値：５．０２Ｄ
Ｃ．５  中心肉厚：３ｍｍ
【００６３】
なお、上述した実施形態では、サンプルレンズＡ、Ｂ、Ｃを展示装置１０に組み込んで顧客に提示する場合について主に説明したが、展示装置１０として組み込まずに、展示サンプルセットだけで説明するようにしてもよい。
【００６４】
その場合は、例えば、最初に前面側の補助サンプルレンズＣと後面側の補助サンプルレンズＢを示す。そして「凸面側（前面）に累進要素を持った非球面」の説明、及び、「凹面側（後面側）に累進要素を持った非球面」の説明をする。次に、両補助サンプルレンズＣ、Ｂの球面形状部の曲率半径が一致することを利用して、互いの球面部を組み合わせ密着させて、それが、両面に累進要素を持つ正規サンプルレンズＡと同一の効果を生むことを示す。
【００６５】
このようにすることで、両面に累進要素を持つ正規サンプルレンズＡが、両面の累進要素の組み合わせで初めて、所定の累進屈折力を得られることが直接分かるようになる。ただし、この場合は、レンズの幾何中心における回転方向を正確に重ねる必要があるため、サンプルレンズＢ、Ｃに位置合わせのための目印を付けて重ねるか、あるいは、サンプルレンズＢ、Ｃの外形を例えば多角形にしておき、サンプルレンズＢ、Ｃの外周形状を揃えて重ねるようにする。
【００６６】
一般的に顧客に情報を提示する場合には、前述のサンプルレンズＡ、Ｂ、Ｃの提示と共に、補足として別に資料（収差測定装置によるレンズ全面の透過屈折力を示す収差分布図及び設計データによる凹凸各面の表面屈折力分布図など）を提示することが望ましい。その際、資料の示す要素が、サンプルレンズのどの要素に対応するかを、サンプルレンズと比較しながら説明することが有効である。
【００６７】
なお、上記実施形態では、サンプルレンズ形状や透孔形状が円形の場合を主に示しているが、レンズ形状や透孔形状は円形に限らず、多角形、フレーム枠入れ形状などでもよく、レンズを取り出して確認しやすい形状にすることも可能である。また、サンプルレンズの並べ方についても限定されず、上述の例のように横に並べても、縦に並べても、また、斜めに並べたり、円周上に並べたりして表示することも可能である。また、展示装置１０の素材も、厚紙やプラスティック以外に木材や金属を使用してもよい。
【００６８】
また、前記実施形態では、対象が両面累進レンズの場合を示したが、片面累進レンズの場合も適用が可能であるし、その他の非球面レンズや自由曲面レンズについても適用が可能である。例えば、凹凸両面が非球面である「単焦点両面非球面屈折レンズ」などに適用することもできる。
【００６９】
【発明の効果】
以上説明したように、本発明によれば、実際に眼鏡レンズとして使用する正規サンプル、正規サンプルの厚さ方向の前半分に相当する前面側の補助サンプル、正規サンプルの厚さ方向の後半分に相当する後面側の補助サンプルの３枚のレンズをセットで用意しているので、眼鏡レンズの前面のレンズ効果、後面のレンズ効果、前面と後面の組み合わせによるレンズ効果を、それぞれ個別に互いに比較しながら理解することができる。従って、一般の顧客にとって、見た目で簡単に眼鏡レンズの前面と後面の設計概念の違いを認識することができる。
【図面の簡単な説明】
【図１】本発明の第１実施形態の展示サンプルセットを組み込んだ展示装置の斜視図である。
【図２】同展示装置の正面図である。
【図３】同展示装置の側面図である。
【図４】同展示装置の平面図である。
【図５】本発明の展示サンプルセットにおける３種のサンプルレンズＡ、Ｂ、Ｃの関係を示す断面図である。
【図６】本発明の展示サンプルセットにおけるサンプルレンズＡの正面図である。
【符号の説明】
Ａ  正規サンプルレンズ
Ｂ  後面側の補助サンプルレン
Ｃ  前面側の補助サンプルレンズ
１０  展示装置
１１  展示板
１２Ａ，１２Ｂ，１２Ｃ  透孔
１５Ａ，１５Ｂ，１５Ｃ  説明表記部
２１，２１Ｂ，２１Ｃ  前面
２２，２２Ｂ，２２Ｃ  後面
２３  分割面
【図１】
2004333588.tif 000006
【図２】
2004333588.tif 000007
【図３】
2004333588.tif 000008
【図４】
2004333588.tif 000009
【図５】
2004333588.tif 000010
【図６】
2004333588.tif 000011